(57)【要約】【課題】吸入管と吸入サイレンサの衝突を抑制する。【解決手段】吸入サイレンサと、冷媒を前方向に供給する吸入管と、を備え、吸入サイレンサは、吸入管の前側に位置し、上下方向に対して傾斜した傾斜壁と、傾斜壁の前端に位置し、上下方向に延在する前面と、前面の後側に位置する後面と、を有する圧縮機であって、傾斜壁の下端を後面より前方に設けた。【選択図】図４
2016205165.tif 000002
【特許請求の範囲】
【請求項１】
吸入サイレンサと、冷媒を前方向に供給する吸入管と、を備え、
前記吸入サイレンサは、
前記吸入管の前側に位置し、上下方向に対して傾斜した傾斜壁と、
該傾斜壁の前端に位置し、上下方向に延在する前面と、
前記前面の後側に位置する後面と、を有する圧縮機であって、
前記傾斜壁の下端を前記後面より前方に設けたことを特徴とする圧縮機。
【請求項２】
前記後面に、後方に突出する油受け部を設けたことを特徴とする請求項１に記載の圧縮機。
【請求項３】
前記傾斜壁の上端は前記吸入管の上端より上方に位置し、
前記傾斜壁の下端は前記吸入管の下端より下端に位置することを特徴とする請求項１又は２に記載の圧縮機。
【請求項４】
前記傾斜壁より上側かつ前記後面より下側に、後方に向かって左右方向の距離が大きくなる２つの側面壁を設けたことを特徴とする請求項１乃至３何れか一項に記載の圧縮機。
【請求項５】
請求項１乃至４何れか一項に記載の圧縮機を備える機器。
【発明の詳細な説明】
【技術分野】
【０００１】
本発明は密閉形圧縮機及びこれを用いた機器に関する。
【背景技術】
【０００２】
特許文献１は、吸入マフラー３０の背面壁３１ｂから冷媒入り口３２に向かって下り傾斜であるオイル分離板３３を開示している（要約、図１，３，５）。また、吸入配管２１は冷媒入口２１と同程度の断面積を有している。
【先行技術文献】
【特許文献】
【０００３】
【特許文献１】特開２００１−２７１７４５号公報
【発明の概要】
【発明が解決しようとする課題】
【０００４】
特許文献１は、吸入配管２１と吸入マフラー３０が近接しているため、圧縮機の振動により吸入配管２１と吸入マフラー３０が衝突するおそれがある。また、振動により吸入配管２１の位置がずれると吸入マフラー３０への吸入が効果的に行われなくなるおそれがある。
【課題を解決するための手段】
【０００５】
上記事情に鑑みてなされた本発明は、吸入サイレンサと、冷媒を前方向に供給する吸入管と、を備え、前記吸入サイレンサは、前記吸入管の前側に位置し、上下方向に対して傾斜した傾斜壁と、該傾斜壁の前端に位置し、上下方向に延在する前面と、前記前面の後側に位置する後面と、を有する圧縮機であって、前記傾斜壁の下端を前記後面より前方に設けたことを特徴とする。
【図面の簡単な説明】
【０００６】
【図１】実施例１の密閉型圧縮機の縦断面図
【図２】実施例１の密閉型圧縮機の横断面図
【図３】実施例１の吸入サイレンサの斜視図
【図４】実施例１の吸入管および吸入サイレンサの要部拡大断面図
【図５】実施例１及び比較例の実験結果を示す図
【図６】実施例２の吸入管および吸入サイレンサの要部拡大断面図
【図７】密閉形圧縮機を搭載した冷蔵庫の縦断面図
【発明を実施するための形態】
【０００７】
以下、本発明の実施例を添付の図面を参照しつつ説明する。同様の構成要素には同様の符号を付し、また、同様の説明は繰り返さない。なお、重力加速度は上方向から下方向に向かうものとする。
【実施例１】
【０００８】
図１は密閉型圧縮機の縦断面図、図２は密閉型圧縮機の密閉容器１の上部蓋を外した上面図、図３は吸入サイレンサ１５の斜視図、図４は図３の破線に沿った吸入サイレンサ１５および吸入管２１の断面図である。
吸入サイレンサ１５は密閉容器１の内部に配されており、密閉容器１の内外を連通する吸入管２１が供給する流体を吸入する。吸入サイレンサ１５は、２つの側面壁１５ａと、傾斜壁１５ｂと、傾斜壁１５ｂの上端側に位置して上下方向に略平行な前面１５ｅと、接合部１５ｃと、後面１５ｈと、油受け部１５ｆと、を有する。
【０００９】
側面壁１５ａのそれぞれは、傾斜壁１５ｂの上側かつ後面１５ｈの下側に設けられており、また、後方に行くにつれ互いの距離が大きくなるように配されている。これにより、吸入管２１が振動しても、吐出する冷媒を吸入サイレンサ内１５に案内でき、さらに吸入管２１との衝突を抑制できる。
【００１０】
傾斜壁１５ｂは、２つの側面壁１５ａの下端側に位置しており、吸入管２１から吐出された冷媒が衝突する部材である。傾斜壁１５ｂは前方に向かって上方に略平面状に延在しており、衝突した冷媒を前面１５ｅ及び後面１５ｈの間に案内する。傾斜壁１５ｂに冷媒を衝突させることで、吸入管２１が吐出する冷媒を効果的に前面１５ｅに向かって案内できる。
【００１１】
接合部１５ｃは、傾斜壁１５ｂ及び前面１５ｅを繋ぐ部分であり、傾斜壁１５ｂの上端と前面１５ｅの下端の境界である。後面１５ｈは、前面１５ｅの後方向に空間を介して位置している。油受け部１５ｆは、後面１５ｈの下端側に位置し、後方に突出している。
【００１２】
圧縮機５０が稼動すると、吸入管２１を通って密閉容器１内部に流入した冷媒は吸入管２１端部から前方向に向かって吐出され、傾斜壁１５ｂに衝突する。傾斜壁１５ｂに衝突した冷媒が前面１５ｅに沿う方向に案内されるときに、０°超６０°以下進路を変更するように、傾斜壁１５ｂの傾斜を設定できる。
【００１３】
接合部１５ｃは、吸入管２１の冷媒出口部２１ａの上下方向中央よりも上方、好ましくは上側端部よりも上方にある。また、傾斜壁１５ｂの下端１５ｄは、冷媒出口部２１ａの下端よりも下方にある。これにより、傾斜壁１５ｂに衝突する冷媒量を大きくすることができる。また、吸入管２１が振動しても、冷媒の傾斜壁１５ｂへの衝突を維持し易くなる。
【００１４】
後面１５ｈの下端には、後方に端面１５ｇを有する油受け部１５ｆが接続されている。これにより、例えば後面１５ｈ後方を伝って垂れてくる潤滑油が、吸入管２１の流れに従って吸入サイレンサ１５内部へ吸入されることを抑制できる。また、後面１５ｈ後方の高温ガス冷媒が吸入サイレンサ１５内に案内されることを抑制できる。下端１５ｄを後面１５ｈより前方向に位置させると、吸入管２１が振動しても傾斜壁１５ｂとの衝突を抑制できるため好ましい。
【００１５】
冷媒出口部２１ａは、側面壁１５ａ及び傾斜壁１５ｂの後側端部より後方に設けているが、冷媒の吸入効率の観点から、後側端部より前方に設けても良い。
【００１６】
上述のように構成することで、吸入管２１から吐出された低温の冷媒は吸入サイレンサの傾斜壁１５ｂに衝突、反射し、効率よく吸入サイレンサ１５内部へ吸入することができる。その結果、吸入サイレンサの入口の空間に存在する高温の冷媒を吸入しにくくなり、吸入サイレンサ１５内部に吸入される冷媒の温度上昇を抑制できる。本実施例の結果と、吸入管２１の延長線及び傾斜壁１５ｂの角度を直角にした比較例の結果とを図５に示す。
【実施例２】
【００１７】
次に、実施例２について説明する。実施例２の構成は、次の点を除き実施例１と同様にできる。図６は吸入サイレンサ１５と吸入管２１の構造を模式的に表す要部拡大断面図である。傾斜壁１５ｂ及び前面１５ｅの接合を曲線的に行っている。本実施例によっても、実施例１と同様の効果を奏することができる。
【００１８】
図７は密閉形圧縮機５０を搭載した機器の一例である冷蔵庫６０の縦断面図である。密閉形圧縮機５０は、例えば貯蔵室後方に設けた機械室に設置できる。
【符号の説明】
【００１９】
１…密閉容器、１５…吸入サイレンサ、１５ａ…側面壁、１５ｂ…傾斜壁、１５ｃ…接合部、１５ｄ…傾斜壁の下端、１５ｅ…前面、１５ｆ…油受け部、１５ｇ…油受け部の端面、１５ｈ…後面、２１…吸入管、５０…密閉形圧縮機、６０…冷蔵庫
【図１】
2016205165.tif 000003
【図２】
2016205165.tif 000004
【図３】
2016205165.tif 000005
【図４】
2016205165.tif 000006
【図５】
2016205165.tif 000007
【図６】
2016205165.tif 000008
【図７】
2016205165.tif 000009